(57)【要約】【課題】  放射性物質で汚染された対象物、例えば、核燃料加工施設から搬出される物品の表面を汚染しているα線とβ線とを同時に、しかも迅速に精度よく検出することのできる放射線検出装置および放射線検出方法を提供すること。【解決手段】  放射性物質で汚染された対象物を収容可能で、減圧することのできる減圧容器と、前記減圧容器内に配置されたα線検出器およびβ線検出器とを有して成ることを特徴とする放射線検出装置ならびに放射性物質で汚染された対象物を収容した減圧容器内を減圧にし、前記減圧容器内にｘ軸方向、ｙ軸方向およびｚ軸方向の少なくとも三軸方向に配置された一対のα線検出器およびβ線検出器により、前記対象物から発生するα線および／またはβ線を検出することを特徴とする放射線検出方法。【選択図】      図２
2005172771.tif 000002
【特許請求の範囲】
【請求項１】
放射性物質で汚染された対象物を収容可能で、減圧することのできる減圧容器と、前記減圧容器内に配置されたα線検出器及びβ線検出器とを有して成ることを特徴とするα・β線検出装置。
【請求項２】
前記減圧容器が、収容された対象物に対してｘ軸方向、ｙ軸方向及びｚ軸方向の少なくとも三軸方向において、各軸方向毎に少なくとも一組の前記α線検出器及びβ線検出器を有して成る請求項１に記載のα・β線検出装置。
【請求項３】
前記α線検出器及びβ線検出器それぞれが、検出器の表面に遮光膜を備えて成る請求項１又は２に記載のα・β線検出装置。
【請求項４】
放射性物質で汚染された対象物を収容した減圧容器内を減圧にし、前記減圧容器内にｘ軸方向、ｙ軸方向及びｚ軸方向の少なくとも三軸方向に配置された一対のα線検出器及びβ線検出器により、前記対象物から発生するα線及びβ線を検出することを特徴とするα・β線検出方法。
【請求項５】
前記減圧容器内に、放射性物質で汚染された対象物を収容した後に、前記減圧容器内の圧力を常圧から減圧に圧力を減少させつつ、前記α線検出器及びβ線検出器により、前記対象物から発生するα線及びβ線を検出する請求項４に記載のα・β線検出方法。
【発明の詳細な説明】
【技術分野】
【０００１】
この発明は、α・β線検出装置及びα・β線検出方法に関し、さらに詳しくは、例えば、放射能で汚染された対象物例えば核燃料加工施設等から搬出される物品からα線とβ線とを同時に検出することのできるα・β線検出装置及びα・β線検出方法に関する。
【背景技術】
【０００２】
例えば核燃料加工施設、特にその放射線管理区域から搬出される物品等の表面における放射性物質密度の測定は、原子炉等規制法及び労働安全衛生法等の放射線関連法令により義務づけられている。
【０００３】
前記核燃料加工施設において取り扱う核種は、ウラン（Ｕ）、トリウム（Ｔｈ）及びこれらの娘核種である。これら核種は、α線とβ線とを放出するので、核燃料加工施設の放射線管理区域から搬出される各種の物品については、α線とβ線とを検出し、各線量を計測して、その安全性を確認しなければならない。
【０００４】
ところが、α線の空気中における飛程距離は約３ｃｍと短いことから、α線とβ線とを同時に検出することができなかった。そこで、前記α線とβ線とを個々に検出し、各線量を計測していた。また、α線の空気中における飛程距離が短いので、α線の検出に当たっては、物品とα線検出器との距離が重要な要素となり、その結果としてほとんど物品とα線検出器とを密着した状態でα線の検出を行っていた。
【０００５】
このように従来は、α線とβ線とを個々に検出し、各線量を計測しなければならなかったため、その作業の迅速性に劣り、また、作業者が負担する時間と労力とはきわめて多大であった。
【発明の開示】
【発明が解決しようとする課題】
【０００６】
この発明は、このような現状に鑑み、放射性物質で汚染された対象物、例えば、核燃料加工施設から搬出される物品等から放射されるα線とβ線とを同時に、しかも迅速に精度よく検出することのできるα・β線検出装置及びα・β線検出方法を提供することをその課題とする。
【課題を解決するための手段】
【０００７】
本発明者は、前記課題を解決するために、種々検討を重ねた結果、検出環境を減圧状態とすることによってα線の飛程距離を長くすることができ、この事象を利用すれば、α線とβ線とを同時に、しかも迅速に精度よく検出することができるということを見出し、この知見に基づいてこの発明を完成するに到った。
【０００８】
すなわち、この発明の前記課題を解決するための第１の手段は、
（１）放射性物質で汚染された対象物を収容可能で、減圧することのできる減圧容器と、前記減圧容器内に配置されたα線検出器及びβ線検出器とを有して成ることを特徴とするα・β線検出装置である。
【０００９】
この第１の手段における好ましい態様としては、
前記減圧容器が、収容された対象物に対してｘ軸方向、ｙ軸方向及びｚ軸方向の少なくとも三軸方向において、各軸方向毎に少なくとも一組の前記α線検出器及びβ線検出器を有して成るα・β線検出装置ならびに前記α線検出器及びβ線検出器それぞれが、検出器の表面に遮光膜を備えて成るα・β線検出装置を挙げることができる。
【００１０】
また、この発明の前記課題を解決するための第２の手段は、
（２）放射性物質で汚染された対象物を収容した減圧容器内を減圧にし、前記減圧容器内にｘ軸方向、ｙ軸方向及びｚ軸方向の少なくとも三軸方向に配置された一対のα線検出器及びβ線検出器により、前記対象物から発生するα線及び／又はβ線を検出することを特徴とするα・β線検出方法である。
【００１１】
この第２の手段における好ましい態様としては、
前記減圧容器内に、放射性物質で汚染された対象物を収容した後に、前記減圧容器内の圧力を常圧から減圧に圧力を減少させつつ、前記α線検出器及びβ線検出器により、前記対象物から発生するα線及び／又はβ線を検出するα・β線検出方法を挙げることができる。
【発明の効果】
【００１２】
この発明によれば、放射性物質で汚染された対象物、例えば、核燃料加工施設から搬出される物品の表面を汚染しているα線とβ線とを同時に、しかも迅速に精度よく検出することのできるα・β線検出装置及びα・β線検出方法が提供され、核燃料を取り扱う分野の環境保全に寄与するところはきわめて大きい。
【発明を実施するための最良の形態】
【００１３】
（１）この発明のα・β線検出装置は、放射性物質で汚染された対象物を収容可能で、減圧することのできる減圧容器と、前記減圧容器内に配置されたα線検出器及びβ線検出器とを有して成る。
【００１４】
（２）また、この発明のα・β線検出方法は、放射性物質で汚染された対象物を収容した減圧容器内を減圧にし、前記減圧容器内にｘ軸方向、ｙ軸方向及びｚ軸方向の少なくとも三軸方向に配置された一対のα線検出器及びβ線検出器により、前記対象物から発生するα線及び／又はβ線を検出する。
【００１５】
以下、この発明のα・β線検出装置及びα・β線検出方法を、図面に基づいて説明する。
【００１６】
図１は、この発明の一例であるα・β線検出装置を示す正面図である。
【００１７】
図２は、この発明の一例であるα・β線検出装置におけるα線とβ線との検出機構を示す系統図である。
【００１８】
図３は、この発明の一例であるα・β線検出装置に用いる検出器を示す説明図である。
【００１９】
図１及び図２に示されるように、α・β線検出装置１は、減圧容器３と、その内部に配置された検出器２と、吸排気装置４と、計測表示装置５と、プリンタ６と、プリアンプ部７とを有する。
【００２０】
前記減圧容器３は、正面の左側を蝶番等で回動可能に支持されて正面を開閉可能に形成されてなる正面開閉扉１３と、背面に向かって背面の左側に蝶番等で回動可能に支持されて背面を開閉可能に形成されてなる背面開閉扉（図示せず）と、その正面開閉扉１３及び背面開閉扉を閉じると内部に密閉空間が形成され、後述する吸排気装置４によってその密閉空間内を減圧にすることのできるように構成された容器本体１４とを備える。この正面開閉扉１３、背面開閉扉及び容器本体１４とで形成される密閉空間の内部寸法として、高さが大きくても２０ｃｍ、横幅が大きくても４０ｃｍ、及び奥行きが大きくても４０ｃｍであるのが好ましい。このような寸法を有する密閉空間を有する減圧容器３であると、少なくとも上下に配置された検出器２によりα線及びβ線を検出することができる。なお、この発明においては、前記密閉空間の内部寸法は前記寸法に限定されることはない、例えば、内部空間の高さが２０ｃｍを超えて例えば４０ｃｍ又は６０ｃｍといった寸法を有する内部空間であってもよい。このように大きな内部空間を有する場合には、被測定物を載置する載置台をこの内部空間に配置すれば良い。なお、この載置台は前述した載置する機能を有する限り、バスケット、ラック等の様々に呼称されることがある。
【００２１】
この減圧容器３は、図１に示されるように、基台１５上に設置される。この基台１５は、キャスター１６等により移動可能であり、上下高さを調節可能なピン１７により、移動不可能に所定位置に固定可能になっている。
【００２２】
前記検出器２は、図３に示されるように、α線検出とβ線検出とを同時に行うことのできる２基のα・β線検出器２Ａを、その検出正面が同一面となるように並べて配置されてなる。
【００２３】
各α・β線検出器２Ａは、発光体であるシンチレータと光電子増倍管とを組み合わせたシンチレータ型検出器であり、具体的には図３に示されるように、平板状のα線検出器１８と、このα線検出器１８の背面に重ね合わされた平板状のβ線検出器１９と、このα線検出器１８及びβ線検出器１９からなる積層体を補強する透明部材製の補強材２０と、補強材２０を透過する光を集光する集光部２１と、この集光部２１により集光された光を増幅する光電子増倍管２２とを備え、前記光電子倍増管２２から検出信号が出力されるようになっている。
【００２４】
２基のα・β線検出器２Ａの、面一に配列されている２基のα線検出器１８の前面には、一枚の遮光膜２３が貼付される。この遮光膜２３は、可視光線を遮断すると共にα線検出器１８の表面を汚染から保護する機能を備え、その機能が実現される限り様々の材質により形成される。並列されたα・β線検出器２Ａと他のα・β線検出器２Ａとの間には仕切板２４が、介装される。
【００２５】
このような構造を有するα・β線検出器２Ａにおける、シンチレータであるα線検出器１８を形成する素材としては、入射するα線により発光する適宜の物質が適宜に採用されるのであるが、例えば、アントラセン、トランス−スチルベン等の有機化合物、ＮａＩ（ＴＬ）、ＬｉＩ（Ｅｕ）、ＣｓＩ（Ｔｌ）、ＺｎＳ（Ａｇ）等を挙げることができる。これらの中でも、ＺｎＳ（Ａｇ）がアルファ線用シンチレータとして好適である。β線検出器１９を形成する素材としては、入射するβ線により発光する適宜の物質が適宜に採用されるのであるが、蛍光体をプラスチックに分散してなるプラスチックシンチレータが好適である。
【００２６】
α線及びβ線を検出するシンチレータとして、上記の外に、例えばトルエン、キシレンなどの有機溶媒にｐ−ターフェニル又はディフェニールオキサゾール等の蛍光物質と波長変換剤例えば１，４−ジ−［２−（５−フェニルオキサズジル）］−ベンゼン等とを加えて液体状のカクテルにしてなる液状シンチレータを用いることもできる。
【００２７】
この発明においては、検出器が、減圧容器３内に収容された物品から放射されるα線及びβ線を検出することができるように配置され、好適には、前記減圧容器内にｘ軸方向、ｙ軸方向及びｚ軸方向の少なくとも三軸方向に配置される。図１に示されるα・β線検出装置においては、正面開閉扉１３の内側面に２基の検出器２−１，２−２、減圧容器３内の底面に４基の検出器２−３，２−４，２−５，２−６、減圧容器３内の天井面に４基の検出器２−７，２−８，２−９，２−１０、減圧容器３内の一方の側面すなわち正面から見て右側面に２基の検出器２−１１，２−１２、減圧容器３内の他方の側面すなわち正面から見て左側面に２基の検出器２−１３，２−１４、及び背面開閉扉の内側面に２基の検出器２−１５，２−１６が配設され、全部で１６基の検出器２−１〜２−１６が密閉空間内のＸ軸、Ｙ軸及びＺ軸方向に配設されることになる。
【００２８】
このように、減圧容器３内の底面及び天井面それぞれに、複数基の検出器を配置するのは、減圧容器３の中央部に配置した物品から放射されるα線及びβ線を確実に検出するこためである。
【００２９】
前記減圧容器３内を減圧するために、吸排気装置４が基台１５に設置される。この吸排気装置４は、前記減圧容器３の密閉空間内を−８２０ｈＰａに減圧することができる能力を有している限り種々の装置を組み合わせ、また採用することができる。図１に示されるα・β線検出装置１においては、吸排気装置４は、ドライポンプ１１と、前記減圧容器３における密閉空間内の空気を導出する配管２５と、この配管２５に介装されて、前記密閉空間内の空気を排気する際に密閉空間内の塵埃をカットする第１フィルタ２６と、密閉空間内の圧力を検出する圧力ゲージ２７と、前記配管２５における空気の流通を遮断開放する弁装置例えば第１電磁弁２８と、ドライポンプ１１を初めとして生じる騒音を遮断する消音器２９とを備える排気装置４Ａと、減圧容器３の密閉空間内に通じる配管３０と、この配管３０に介装される弁装置例えば第２電磁弁３１と、前記密閉空間内に空気を導入する際に、その空気の中の塵埃を遮断する第２フィルタ３２とからなる吸気装置４Ｂとを備える。
【００３０】
前記プリアンプ部７は、各検出器２毎にプリアンプ７−１〜８が各検出器２に接続される。各プリアンプ部７は、検出器２から出力される検出信号を入力し、入力した信号を増幅すると共に、検出信号をα線に基づくα線検出信号とβ線に基づくβ線検出信号とに分離し、分離したα線検出信号とβ線検出信号とを計測表示装置５に出力する。つまり、このプリアンプ部７は、αβ型プリアンプ部である（なお、以下においてプリアンプ部７をαβ型プリアンプ部７と称することがある。
【００３１】
このαβ型プリアンプ部７は、図５に示されるように、光電子倍増管２２から出力される検出信号を増幅するアンプ７Ａと、バファーゲート７Ｂを介して前記検出信号を微分する微分回路７Ｃと、前記微分回路７Ｃから出力される出力信号を整形するディスクリ整形回路７Ｄと、前記アンプ７Ａから出力され、バッファーゲート７Ｂを介して前記検出信号を積分する積分回路７Ｅと、前記積分回路７Ｅから出力される出力信号を整形するディスクリ整形回路７Ｆと、前記ディスクリ整形回路７Ｄからの出力信号と前記ディスクリ整形回路７Ｆからの出力信号とを加算してβ線による信号をキャンセルする加算回路７Ｇとを有する。
【００３２】
前記検出器２における出力信号は、例えば図６に示されるように、β線検出器１９から出力される検出信号は１９Ａで示されるような短時間で現われる小さな信号波形として現われ、α線検出器１８から出力される検出信号は１８Ａで示されるような長い振幅と周期とが大きな信号波形として現われ、α線の検出信号とβ線の検出信号とは大きく異なる。αβ型プリアンプ部７においては、図７に示されるように、検出器２から出力される信号を微分回路７Ｃと積分回路７Ｅとに同時に入力し、ディスクリ整形回路７Ｄにて微分回路７Ｃから出力される信号のうち所定閾値よりも小さな信号をカットし、整形することによりβ線検出信号とし、ディスクリ整形回路７Ｆにて前記積分回路７Ｅから出力される信号のうち所定閾値よりも小さな信号をカットし、整形し、ディスクリ整形回路７Ｆから出力される信号とディスクリ整形回路７Ｄから出力される信号とを減算することによりα線の検出信号を出力する。
【００３３】
この計測表示装置５は、前記プリアンプ部７から入力するα線検出信号とβ線検出信号とから、α線の強度及びβ線の強度を算出し、ＣＲＴ画面又は液晶表示画面を含む表示部にそれら結果を表示する。
【００３４】
プリンタ部６は、前記計測表示装置５において算出されたα線の強度及びβ線の強度を印字するように構成される。
【００３５】
なお、図２において、３３で示されるのは制御電源部であり、このα・β線検出装置の駆動乃至作動に必要な電力を各部に供給すると共に、各部の制御を行う。
【００３６】
以上構成のα・β線検出装置は、以下の作用を有する。
【００３７】
図１に示されるように、まず、放射線で汚染された対象物を減圧容器３内に収容する。ここで、この発明に係るα・β線検出装置で測定可能な対象物としては、例えば、ウラン（Ｕ）、トリウム（Ｔｈ）及びこれらの娘核種を取り扱う核燃料加工施設、特にその放射線管理区域から搬出される、例えば機械、器具、装置、衣料、雑貨等の物品等を挙げることができる。
【００３８】
前記物品を容器本体１４内に収容し、正面開閉扉１３及び背面開閉扉（図示せず）を閉じて密閉空間とし、次いで、制御・電源部３３により、電源を入れ、第１電磁弁２８を開状態にする。吸排気装置４におけるドライポンプ１２を駆動して減圧容器３内の密閉空間内を例えば−８２０ｈＰａ（１４４．８ｍｍＨｇ）Ｐaにまで減圧にする。このとき、第１フィルタ２６に、減圧容器３内の物品から離脱する放射性微粉がトラップされる。したがって、このα・β線検出装置１の外部に放射性微粉が放出され、大気中に拡散することがない。この点において、このα・β線検出装置１は、その駆動により放射性微粉による大気汚染のない安全な装置であるといえる。減圧容器３内が所定の減圧度になったことを第１ゲージ２７で確認すると、前記第１電磁弁２８を閉鎖状態にする。
【００３９】
次いで、減圧容器３内に装入されている物品から放射されるα線とβ線とを、検出器２により検出する。検出器２における各α・β線検出器２Ａにおいては、物品から放射されるα線がα線検出器１８に到達すると、α線検出器１８において発光を生じる。この発光は集光板２１で集光されて光電子増倍管２２で光電変換されると共に変換された電気信号が増幅され、検出信号として出力される。また、このα・β線検出器２Ａにおいては、物品から放射されるβ線がβ線検出器１９に到達すると、β線検出器１９において発光を生じる。この発光は、前記α線の場合と同様に、集光板２１で集光され、光電子増倍管２２で光電変換されると共に変換された電気信号が増幅され、検出信号として出力される。光電子増倍管２２としては、α線に基づく電気信号及びβ線に基づく電気信号が重畳した電気信号が、プリアンプ部７に出力される。
【００４０】
図１に示されるα・β線検出装置１においては、減圧容器３におけるＸ方向、Ｙ方向及びＺ方向それぞれに検出器２が配設されているので、減圧容器３内に収容されている物品から放射されるα線及びβ線を全方位で測定することができる。したがって、ある方向ではα線及びβ線を検出することができたのに検出器が他の方位に配設されていることによりその方位に配置された検出器では前記放射線を検出することができないといった検出漏れが、このα・β線検出装置１では生じない。つまり、このα・β線検出装置１においては検出漏れを生じることなく、確実に前記放射線を検出することができる。
【００４１】
また、このときに用いるプリアンプ部７は、α線／β線分離方式を採用するので、
各プリアンプ７−１〜８においては、入力する検出信号を分離してα線検出信号及びβ線検出信号を計測・表示装置５に出力する。
【００４２】
計測・表示装置５で計測されたα線とβ線とは、計測・表示装置５における例えば液晶表示部で表示されると共にプリンタ６によりプリント出力される。α線及びβ線の検出及び計測が終了すると、減圧容器３内の減圧状態を常圧状態に戻すために、それまで閉鎖状態であった第２電磁弁３１を開状態にする。配管３０には第２フィルタ３２が介装されているので、大気中に存在するラドン及び／又はトロンで、減圧容器３内の物品が汚染されることがない。減圧容器３０内が常圧に戻されると、減圧容器３内に収容されていた物品が取り出される。
【００４３】
また、この発明のα・β線検出装置１は、故障診断機能を有し、計数値異常、低／高圧電源異常、検出器異常等を常時監視することができる装置とすることが好ましい。さらに、停電保障機能を有し、１週間以上、バックアップ可能とした装置とすることが好ましい。
【図面の簡単な説明】
【００４４】
【図１】図１は、この発明の一例であるα・β線検出装置を示す正面図である。
【図２】図２は、この発明の一例であるα・β線検出装置におけるα線とβ線との検出機構を示す系統図である。
【図３】この発明の一例であるα・β線検出装置に用いる検出器を示す図である。
【図４】図４は、この発明の一例であるα・β線検出装置における容器本体の内部に形成される密閉空間に配置される検出器の配置位置と数とを示す説明図である。
【図５】図５は、この発明の一例であるα・β線検出装置におけるプリアンプ部を示す説明図である。
【図６】図６は、この発明の一例であるα・β線検出装置における検出器から出力される信号波形を示す説明図である。
【図７】図７は、この発明の一例であるα・β線検出装置におけるプリアンプ部における信号処理を示す説明図である。
【符号の説明】
【００４５】
１・・・α・β線検出装置、２・・・検出器、２Ａ・・・α・β線検出器、３・・・減圧容器、４・・・吸排気装置、４Ａ・・・排気装置、４Ｂ・・吸気装置、５・・・計測表示装置、６・・・プリンタ、７・・・プリアンプ部、７−１〜７−８・・・プリアンプ、１１・・・ドライポンプ、１３・・・正面開閉扉、１４・・・容器本体、１５・・・基台、１６・・・キャスター、１７・・・ピン、１８・・・α線検出器、１９・・・β線検出器、２０・・・補強材、２１・・・集光部、２２・・・光電子倍増管、２３・・・遮光膜、２４・・・仕切板、２５・・・配管、２６・・・第１フィルタ、２７・・・圧力ゲージ、２８・・・第１電磁弁、２９・・・消音器、３０・・・配管、３１・・・第２フィルタ、３２・・・第２電磁弁、３３・・・制御電源部
【図１】
2005172771.tif 000003
【図２】
2005172771.tif 000004
【図３】
2005172771.tif 000005
【図４】
2005172771.tif 000006
【図５】
2005172771.tif 000007
【図６】
2005172771.tif 000008
【図７】
2005172771.tif 000009
【手続補正書】
【提出日】平成16年4月12日(2004.4.12)
【手続補正１】
【補正対象書類名】明細書
【補正対象項目名】００２９
【補正方法】変更
【補正の内容】
【００２９】
前記減圧容器３内を減圧するために、吸排気装置４が基台１５に設置される。この吸排気装置４は、前記減圧容器３の密閉空間内を−８２０ｈＰａに減圧することができる能力を有している限り種々の装置を組み合わせ、また採用することができる。図１に示されるα・β線検出装置１においては、吸排気装置４は、ドライポンプ１２と、前記減圧容器３における密閉空間内の空気を導出する配管２５と、この配管２５に介装されて、前記密閉空間内の空気を排気する際に密閉空間内の塵埃をカットする第１フィルタ２６と、密閉空間内の圧力を検出する圧力ゲージ２７と、前記配管２５における空気の流通を遮断開放する弁装置例えば第１電磁弁２８と、ドライポンプ１２を初めとして生じる騒音を遮断する消音器２９とを備える排気装置４Ａと、減圧容器３の密閉空間内に通じる配管３０と、この配管３０に介装される弁装置例えば第２電磁弁３１と、前記密閉空間内に空気を導入する際に、その空気の中の塵埃を遮断する第２フィルタ３２とからなる吸気装置４Ｂとを備える。
【手続補正２】
【補正対象書類名】明細書
【補正対象項目名】００３０
【補正方法】変更
【補正の内容】
【００３０】
前記プリアンプ部７は、各検出器２毎にプリアンプ７−１〜７−８が各検出器２に接続される。各プリアンプ部７は、検出器２から出力される検出信号を入力し、入力した信号を増幅すると共に、検出信号をα線に基づくα線検出信号とβ線に基づくβ線検出信号とに分離し、分離したα線検出信号とβ線検出信号とを計測表示装置５に出力する。つまり、このプリアンプ部７は、αβ型プリアンプ部である（なお、以下においてプリアンプ部７をαβ型プリアンプ部７と称することがある。）。
【手続補正３】
【補正対象書類名】明細書
【補正対象項目名】００３８
【補正方法】変更
【補正の内容】
【００３８】
前記物品を容器本体１４内に収容し、正面開閉扉１３及び背面開閉扉（図示せず）を閉じて密閉空間とし、次いで、制御電源部３３により、電源を入れ、第１電磁弁２８を開状態にする。吸排気装置４におけるドライポンプ１２を駆動して減圧容器３内の密閉空間内を例えば−８２０ｈＰａ（１４４．８ｍｍＨｇ）Ｐaにまで減圧にする。このとき、第１フィルタ２６に、減圧容器３内の物品から離脱する放射性微粉がトラップされる。したがって、このα・β線検出装置１の外部に放射性微粉が放出され、大気中に拡散することがない。この点において、このα・β線検出装置１は、その駆動により放射性微粉による大気汚染のない安全な装置であるといえる。減圧容器３内が所定の減圧度になったことを圧力ゲージ２７で確認すると、前記第１電磁弁２８を閉鎖状態にする。
【手続補正４】
【補正対象書類名】明細書
【補正対象項目名】００４１
【補正方法】変更
【補正の内容】
【００４１】
また、このときに用いるプリアンプ部７は、α線／β線分離方式を採用するので、
各プリアンプ７−１〜７−８においては、入力する検出信号を分離してα線検出信号及びβ線検出信号を計測表示装置５に出力する。
【手続補正５】
【補正対象書類名】明細書
【補正対象項目名】００４２
【補正方法】変更
【補正の内容】
【００４２】
計測表示装置５で計測されたα線とβ線とは、計測表示装置５における例えば液晶表示部で表示されると共にプリンタ６によりプリント出力される。α線及びβ線の検出及び計測が終了すると、減圧容器３内の減圧状態を常圧状態に戻すために、それまで閉鎖状態であった第２電磁弁３１を開状態にする。配管３０には第２フィルタ３２が介装されているので、大気中に存在するラドン及び／又はトロンで、減圧容器３内の物品が汚染されることがない。減圧容器３内が常圧に戻されると、減圧容器３内に収容されていた物品が取り出される。
【手続補正６】
【補正対象書類名】明細書
【補正対象項目名】００４５
【補正方法】変更
【補正の内容】
【００４５】
１・・・α・β線検出装置、２・・・検出器、２Ａ・・・α・β線検出器、３・・・減圧容器、４・・・吸排気装置、４Ａ・・・排気装置、４Ｂ・・吸気装置、５・・・計測表示装置、６・・・プリンタ、７・・・プリアンプ部、７−１〜７−８・・・プリアンプ、１２・・・ドライポンプ、１３・・・正面開閉扉、１４・・・容器本体、１５・・・基台、１６・・・キャスター、１７・・・ピン、１８・・・α線検出器、１９・・・β線検出器、２０・・・補強材、２１・・・集光部、２２・・・光電子倍増管、２３・・・遮光膜、２４・・・仕切板、２５・・・配管、２６・・・第１フィルタ、２７・・・圧力ゲージ、２８・・・第１電磁弁、２９・・・消音器、３０・・・配管、３１・・・第２電磁弁、３２・・・第２フィルタ、３３・・・制御電源部